(57)【要約】      （修正有）【課題】高価な材料である可撓性フィルムを接着剤で枠体に固定することなく、着脱自在となる係止手段を採用することにより、該枠体より該可撓性フィルムを簡単に取り除くことができ、それを他の枠体へと再利用することを可能とし、且つその取り付け作業も簡単とした緩衝部材を提供する。【解決手段】外部からの衝撃を緩和する物品保持手段となる枠体２，２′と可撓性フィルム３，３′とを組み合わせた緩衝部材１，１′において、該可撓性フィルムの両端部に係止手段を形成し、該係止手段を枠体の端部に着脱自在に係止してなることを特徴とする枠体と可撓性フィルムとを組み合わせた緩衝部材。【選択図】図１
0003151705.tif 000002
【実用新案登録請求の範囲】
【請求項１】
外部からの衝撃を緩和する物品保持手段となる枠体と可撓性フィルムとを組み合わせた緩衝部材において、該可撓性フィルムの両端部に係止手段を形成し、該係止手段を枠体の端部に着脱自在に係止してなることを特徴とする枠体と可撓性フィルムとを組み合わせた緩衝部材。
【請求項２】
枠体は、平板部又は開口部若しくは開口部と押圧片を備えた平板部としたことを特徴とする請求項１記載の枠体と可撓性フィルムとを組み合わせた緩衝部材。
【請求項３】
枠体は、平板部又は開口部若しくは開口部と押圧片を備えた平板部並びにそれらの周縁部から外方へ突出した折り曲げ部とからなることを特徴とする請求項１記載の枠体と可撓性フィルムとを組み合わせた緩衝部材。
【請求項４】
枠体の端部は、平板部又は開口部若しくは開口部と押圧片を備えた平板部の周端部としたことを特徴とする請求項１又は２記載の枠体と可撓性フィルムとを組み合わせた緩衝部材。
【請求項５】
枠体の端部は、折り曲げ部としたことを特徴とする請求項１又は３記載の枠体と可撓性フィルムとを組み合わせた緩衝部材。
【請求項６】
可撓性フィルムは、その両端部の係止手段を枠体の対向する位置の周端部又は折り曲げ部に係止したことを特徴とする請求項１乃至５のいずれか記載の枠体と可撓性フィルムとを組み合わせた緩衝部材。
【請求項７】
可撓性フィルムは、その両端部の係止手段を枠体の対向する位置の周端部又は折り曲げ部に係止し、且つそれと直交する位置の対向する周端部又は折り曲げ部にも他の可撓性フィルムを係止し、可撓性フィルムの補強或いはそれらが上下に重なるその間を物品収納部としたことを特徴とする請求項１乃至５のいずれか記載の枠体と可撓性フィルムとを組み合わせた緩衝部材。
【請求項８】
係止手段は、可撓性フィルムの両端部をポケットとしたことを特徴とする請求項１乃至７のいずれか記載の枠体と可撓性フィルムとを組み合わせた緩衝部材。
【請求項９】
係止手段は、可撓性フィルムの両端部の左右隅部に形成したポケットとしたことを特徴とする請求項１乃至７のいずれか記載の枠体と可撓性フィルムとを組み合わせた緩衝部材。
【請求項１０】
係止手段は、可撓性フィルムの両端部を内側へ折り返し、その重なった側縁部相互の一部或いは全部を固定して有底のポケットとしたことを特徴とする請求項１乃至７のいずれか記載の枠体と可撓性フィルムとを組み合わせた緩衝部材。
【請求項１１】
係止手段は、可撓性フィルムの両端部及び両側端部で形成される隅部を内側へ折り返し、その折り返された縁部相互を固定してポケットとしたことを特徴とする請求項１乃至７のいずれか記載の枠体と可撓性フィルムとを組み合わせた緩衝部材。
【請求項１２】
係止手段は、可撓性フィルムの両端部及び両側端部で形成される隅部の各々折り返された両端部と両側端部とを三角形状となるように重ね合わせ、その重ね合わせた根元部を固定してポケットとしたことを特徴とする請求項１乃至７のいずれか記載の枠体と可撓性フィルムとを組み合わせた緩衝部材。
【請求項１３】
係止手段は、可撓性フィルムの両側端部の両端部側を三角形状に内側へ折り返し、その重ね合わせた部分の一部を固定してポケットとしたことを特徴とする請求項１乃至７のいずれか記載の枠体と可撓性フィルムとを組み合わせた緩衝部材。
【請求項１４】
係止手段は、可撓性フィルムの両側端部を内側へ折り返し、両端部を内側へ折り返し、その重ね合わせた両端部の端縁部と折り返された両側端部とを固定してポケットとしたことを特徴とする請求項１乃至７のいずれか記載の枠体と可撓性フィルムとを組み合わせた緩衝部材。
【考案の詳細な説明】
【技術分野】
【０００１】
本考案は、物品収納体に物品を収納する際に使用する緩衝用物品保持手段となる枠体と可撓性フィルムとの組み合わせに係るもので、該可撓性フィルムの再利用を可能とする緩衝部材に関する。
【背景技術】
【０００２】
壊れ易い物品や精密機器類等の衝撃に弱い物品を物品収納体により運搬或いは保管する際 、外部からの衝撃が当該物品に直接伝わらないようにするために各種の衝撃緩衝手段が考えられているが、その内の最も有効な手段として可撓性フィルムを利用するものがある。
【０００３】
上記可撓性フィルムを利用する手段は、段ボール紙や他の材料からなる保持体としての枠体と該枠体に保持された該可撓性フィルムとで形成された緩衝部材間に物品を挟持し、或いは物品を可撓性フィルムにより弾力性のある物品収納体や仕切部材等の保持体側に押し付け支持することにより、外部からの衝撃を該可撓性フィルム或いは弾力性を有する保持体により吸収し、該物品に直接大きな衝撃が伝わることを防止している。
【０００４】
上記可撓性フィルムは、物品収納体の一部或いは別体の仕切部材等の段ボール紙や他の材料からなる保持体（以下、総称して枠体という）に固定されることになるが、その固定状態を強固とするために該枠体の裏面或いは表面側の周縁部の全面に接着剤を介してその端部面を貼着している。これは該可撓性フィルムには物品を保持するために大きな引張力がかかり、その引張力に耐えるために強固な固定手段が必要となるからである。
【０００５】
上記のように、可撓性フィルムは、枠体の周縁部に接着剤により強固に固定されることになり、該枠体が劣化や破損等により寿命となり廃棄されるときには、同時に該可撓性フィルムも廃棄されていた。
【先行技術文献】
【特許文献】
【０００６】
【特許文献１】特開２００７−２９０７４１号公報
【特許文献２】特開平１１−２０８７２６号公報
【考案の概要】
【考案が解決しようとする課題】
【０００７】
該可撓性フィルムには、弾発力を有する強度のある材料が使用されているので、枠体となる段ボール紙や他の材料が劣化や破損しても該可撓性フィルムには何等の損傷も生じていないことが多かった。しかし、それら可撓性フィルムを再利用するためには、枠体に強固に固定されている状態を取り除く必要があり、そのための作業及びその後の可撓性フィルム側に付着した枠体側の材料小片を取り除く作業が必要となり、手間のかかる作業となり、再使用されずに廃棄されているのが実状であった。
【課題を解決するための手段】
【０００８】
本考案は、上記欠点を解決したもので、高価な材料である可撓性フィルムを接着剤で枠体に固定することなく、着脱自在となる係止手段を採用することにより、該枠体より該可撓性フィルムを簡単に取り除くことができ、それを他の枠体へと再利用することを可能とし、且つその取り付け作業も簡単としたものである。
【０００９】
そのための手段として、外部からの衝撃を緩和する物品保持手段となる枠体と可撓性フィルムとを組み合わせた緩衝部材において、該可撓性フィルムの両端部に係止手段を形成し、該係止手段を枠体の端部に着脱自在に係止してなる枠体と可撓性フィルムとを組み合わせた緩衝部材を特徴とする。
【００１０】
また、上記枠体は、平板部又は開口部若しくは開口部と押圧片を備えた平板部とした枠体と可撓性フィルムとを組み合わせた緩衝部材を特徴とする。
【００１１】
更に、上記枠体は、平板部又は開口部若しくは開口部と押圧片を備えた平板部並びにそれらの周縁部から外方へ突出した折り曲げ部とからなる枠体と可撓性フィルムとを組み合わせた緩衝部材を特徴とする。
【００１２】
また、上記枠体の端部は、平板部又は開口部若しくは開口部と押圧片を備えた平板部の周端部とした枠体と可撓性フィルムとを組み合わせた緩衝部材を特徴とする。
【００１３】
更に、上記枠体の端部は、折り曲げ部とした枠体と可撓性フィルムとを組み合わせた緩衝部材を特徴とする。
【００１４】
また、上記可撓性フィルムは、その両端部の係止手段を枠体の対向する位置の周端部又は折り曲げ部に係止した枠体と可撓性フィルムとを組み合わせた緩衝部材を特徴とする。
【００１５】
更に、上記可撓性フィルムは、その両端部の係止手段を枠体の対向する位置の周端部又は折り曲げ部に係止し、且つそれと直交する位置の対向する周端部又は折り曲げ部にも他の可撓性フィルムを係止し、可撓性フィルムの補強或いはそれらが上下に重なるその間を物品収納部とした枠体と可撓性フィルムとを組み合わせた緩衝部材を特徴とする。
【００１６】
また、上記係止手段は、可撓性フィルムの両端部をポケットとした枠体と可撓性フィルムとを組み合わせた緩衝部材を特徴とする。
【００１７】
更に、上記係止手段は、可撓性フィルムの両端部の左右隅部に形成したポケットとした枠体と可撓性フィルムとを組み合わせた緩衝部材を特徴とする。
【００１８】
また、上記係止手段は、可撓性フィルムの両端部を内側へ折り返し、その重なった側縁部相互の一部或いは全部を固定して有底のポケットとした枠体と可撓性フィルムとを組み合わせた緩衝部材を特徴とする。
【００１９】
更に、上記係止手段は、可撓性フィルムの両端部及び両側端部で形成される隅部を内側へ折り返し、その折り返された縁部相互を固定してポケットとした枠体と可撓性フィルムとを組み合わせた緩衝部材を特徴とする。
【００２０】
また、上記係止手段は、可撓性フィルムの両端部及び両側端部で形成される隅部の各々折り返された両端部と両側端部とを三角形状となるように重ね合わせ、その重ね合わせた根元部を固定してポケットとした枠体と可撓性フィルムとを組み合わせた緩衝部材を特徴とする。
【００２１】
更に、上記係止手段は、可撓性フィルムの両側端部の両端部側を三角形状に内側へ折り返し、その重ね合わせた部分の一部を固定してポケットとした枠体と可撓性フィルムとを組み合わせた緩衝部材を特徴とする。
【００２２】
また、上記係止手段は、可撓性フィルムの両側端部を内側へ折り返し、両端部を内側へ折り返し、その重ね合わせた両端部の端縁部と折り返された両側端部とを固定してポケットとした枠体と可撓性フィルムとを組み合わせた緩衝部材を特徴とする。
【考案の効果】
【００２３】
本考案は、緩衝用物品保持手段となる枠体と可撓性フィルムとの組み合わせにおいて、該可撓性フィルムを該枠体へ着脱自在に係止することにより、該枠体が使用不可となっても該枠体から可撓性フィルムのみを損傷を与えることなく簡単に取り除くことができ、それを他の枠体へ再利用することを可能とした。
【００２４】
また、該可撓性フィルムは、予めその両端部に係止手段を形成し、該係止手段を枠体に係止するだけで着脱自在に一体化することができ、装着及び取り除きを極めて簡単に行うことができ、枠体と可撓性フィルムとの一体化を省力化することを可能とした。
【００２５】
更に、該枠体の周縁部より外方へ突出して折り曲げ部を折り曲げ自在として形成し、該折り曲げ部に可撓性フィルムを装着したものは、物品収納体への収納に際して該折り曲げ部を折り曲げることにより該可撓性フィルムが引っ張られ、物品に対する押圧力をより強く作用させることができ、物品を強固に保持することが可能となった。
【００２６】
また、該枠体に対する可撓性フィルムの取り付けを着脱自在としたことにより、物品の厚さや外形形状に適合した様々な形状の枠体に速やかに対応することが可能となった。
【図面の簡単な説明】
【００２７】
【図１】本考案の枠体と可撓性フィルムとを組み合わせた緩衝部材と物品収納体との関係を示す斜視図。
【図２】（ａ）本考案の可撓性フィルムの斜視図、（ｂ）同図２（ａ）のＡ−Ａ線の断面図。
【図３】本考案の枠体の他の実施例の斜視図。
【図４】本考案の枠体の他の実施例の斜視図。
【図５】本考案の枠体と可撓性フィルムとを組み合わせた緩衝部材の他の実施例の斜視図。
【図６】本考案の枠体と可撓性フィルムとを組み合わせた緩衝部材の他の実施例の斜視図。
【図７】（ａ）本考案の可撓性フィルムの係止手段の他の実施例の斜視図、（ｂ）同他の実施例の斜視図、（ｃ）同他の実施例の斜視図、（ｄ）同他の実施例の斜視図、（ｅ）同他の実施例の斜視図。
【考案を実施するための形態】
【００２８】
以下、図面を参考に本考案の実施例を説明する。
【実施例１】
【００２９】
図１は、本考案の枠体と可撓性フィルムとを組み合わせた緩衝部材１の斜視図を示している。該緩衝部材１は、枠体２と可撓性フィルム３との組み合わせよりなり、該枠体２は、段ボール紙や他の材料からなる保持体として矩形状となる平板状のもので、中央に開口部４、その周囲に周端部５を設けている。該周端部５からは外方へ突出した折り曲げ部６を該周端部５の側縁より折り曲げ自在に設けている。該緩衝部材１は、折り曲げ部６を直交方向へ折り曲げて別体となる物品収納体７の内壁面に該折り曲げ部６の表面側が接するようにして該物品収納体７内に収納物とともに収納配設することになる。
【００３０】
該可撓性フィルム３は、弾発力と強度を有するシート状のもので、図２に示すように、該可撓性フィルム３の長さを該枠体２の長さとほぼ一致させ、その直交方向の長さは該枠体２の幅方向とほぼ一致させ、上記いずれかの対向する両端部には折り返しや他の部材を二重となるように重ね合わせて係止手段とし、各々の両側縁部側を折り曲げ部６の突出長さとほぼ同程度か或いはやや短くなる長さで一部或いは全部を固定し、先端側に有底部、その内側に開口部８を設けたポケット９を各々形成している。
【００３１】
該ポケット９の各々を枠体２の対向する折り曲げ部６に装着することにより該枠体２と可撓性フィルム３とを一体化することができる。該折り曲げ部６を折り曲げること及び該枠体２を段ボール製等の弾力性のある材料を選定することにより該可撓性フィルム３を簡単に装着することができる。
【００３２】
上記のようにして形成された緩衝部材１は、上記したように、物品収納体７内に配設されることになる。該物品収納体７は、段ボール紙や他の材料からなる様々な材料で形成されたもので、様々な形状の蓋や密閉手段（不図示）等により収納物を収納配設することができるものである。緩衝部材１の配設後、該緩衝部材１上に収納する物品を載置し、その上より同様の枠体２´、可撓性フィルム３´、開口部４´、周端部５´及び折り曲げ部６´とより形成された他の緩衝部材１´を該折り曲げ部６´側を逆方向に折り曲げた状態で挿入することにより該物品は枠体２´に装着された可撓性フィルム３´に押圧されることになる。これにより、両可撓性フィルム３、３´間に物品が収納保持されることになる。また、該可撓性フィルム３、３´は、折り曲げ部６、６´とともに折り曲げられることになり、それにより引っ張られ、物品に対する押圧力をより強く作用させることが可能となる。
【００３３】
上記物品収納体７への収納方法は上記のようにしてもよいし、予め緩衝部材１、１´間に物品を収納し、その後、それらを物品収納体７へ配設してもよい。また、上記押え付ける上側に位置する緩衝部材１´は、必ずしも下側に位置する緩衝部材１と同一形状のものである必要はなく、下記する実施例の緩衝部材或いは他の緩衝部材を採用することも可能である。
【実施例２】
【００３４】
図３は、枠体の形状の異なる他の実施例で、該枠体１０は様々な材料で形成した平板状のもので開口部の形成されていない平板部１１としている。平板部１１としては段ボール紙のような弾力性のある材料が最適である。該平板部１１の周縁部からは外方へ折り曲げ部１２が折り曲げ自在に突出形成され、対向する位置の折り曲げ部１２へ図２に示したものと同様の可撓性フィルム３の両端部に形成したポケット９を装着することにより該可撓性フィルム３を枠体１０に係止している。可撓性フィルムは、上記のものに限定することなく、下記する実施例のものでもよい。
【００３５】
該枠体１０の平板部１１と可撓性フィルム３との間には、該可撓性フィルム３のポケット９と直交する方向となる側縁部側より物品を挿入することになる。該物品は、平板部１１と可撓性フィルム３との間に保持されることになるが、該物品が該可撓性フィルム３により強く押圧されても弾力性のある平板部１１を選定することにより、該平板部１１をやや湾曲させるだけで物品を強固に保持することが可能となる。従って、比較的薄い形状の物品を保持するのに適している。
【実施例３】
【００３６】
図４は、枠体の形状の異なる他の実施例で、該枠体１３は段ボール紙や他の材料からなる保持体として形成した平板状のもので、中央に開口部１４、その周囲に周端部を形成し、該周端部の縁部の各々から開口部１４の中心部に向かって押圧片１５が各々折り曲げ自在に突出形成されている。該押圧片１５は隣接する他の押圧片１５と重なることのないようにその両端部を斜め方向に切断形成している。また、該周縁部からは外方へ折り曲げ部１６が折り曲げ自在に突出形成され、対向する位置の該折り曲げ部１６へ、図２に示す形状の可撓性フィルム３を、その両端部に形成したポケット９を装着することにより該可撓性フィルム３を該枠体１３に係止している。可撓性フィルムは、上記のものに限定することなく、下記する実施例のものでもよい。
【００３７】
該枠体１３と可撓性フィルム３との間には、上記実施例同様、物品を挿入配設することになる。該物品は、その端部が対向する位置の押圧片１５に各々載置できる大きさのものとすることにより、挿入配設された物品がその上方部より可撓性フィルム３で押圧されても、下方側の押圧片１５により支持することができる。該押圧片１５は枠体１３の周縁部より内側へ折り曲げ自在に突出形成されているので、物品を保持した状態で下方側へ押圧されるが、その弾発力により該物品が開口部１４よりすり抜け落下することはない。上記により物品はその上方側は可撓性フィルム３、下方側は弾発力のある押圧片１５により強く支持されることになる。
【実施例４】
【００３８】
図５は、可撓性フィルムの枠体に対する一体化の異なる対応の他の実施例で、上記実施例に示された又は下記する或いは他の様々な形状となる枠体に対応するもので、本実施例では枠体１７の周縁部から外方へ突出形成した折り曲げ部１８の対向する位置に、図２に示したものと同様の可撓性フィルム３を装着するが、それと直交する位置の対向する折り曲げ部１８にも上記同様の他の可撓性フィルム３´を装着したものである。図５に示したものは、便宜上、実施例１と同様の中央部に開口部１９を形成した枠体１７に可撓性フィルム３、３´を装着したものである。可撓性フィルムは、上記のものに限定することなく、下記する実施例のものでもよい。
【００３９】
上記により枠体１７上に二重となった可撓性フィルム３、３´が形成され、該可撓性フィルム３、３´間に物品を保持することになる。また、重量のある物品の保持や他の目的等により可撓性フィルムを強化する手段として二重の可撓性フィルムを１枚の役割とし、上記実施例１乃至３と同様の使用方法とすることも可能である。
【実施例５】
【００４０】
図６は、枠体の形状の異なる他の実施例で、上記実施例１乃至４に示した折り曲げ部の存在しない枠体２０を示している。該枠体２０は平板部２１のものを示しているが、上記実施例のもののように、開口部や押圧片を形成したものでもよい。その周端部２２に可撓性フィルム３を装着したものである。物品収納体７への収納配設に対して該枠体２０の移動を阻止できる何等かの手段があれば、この実施例のもので対応することが可能となる。その他は実施例１乃至４のものと同様の使用形態となる。可撓性フィルムは、上記のものに限定することなく、下記する実施例のものでもよい。
【実施例６】
【００４１】
図７は、可撓性フィルムの枠体に対する係止手段の他の実施例を示したもので、図７（ａ）は、可撓性フィルム３ａの両端部の各々の隅部に三角片２３や四角片２４等の隅部係止手段を設けたものである。該隅部係止手段２３、２４は、可撓性フィルムの端縁部及び側縁部側と一部或いは全部を固定し、内側に開口部２５を形成したものである。
【００４２】
図７（ｂ）は、可撓性フィルム３ｂの両端部及び両側端部で形成される隅部を持ち上げて内側へ折り返し、その折り返された両端部側の端縁部と側端部側の縁部とを突き合わせ、当該箇所を固定し、内側に開口部２６を形成したものである。
【００４３】
図７（ｃ）は、可撓性フィルム３ｃの両端部及び両側端部で形成される隅部を持ち上げて内側へ折り返し、その折り返された両端部と両側端部とを重ね合わせ、その重ね合わせた根元部を固定し、内側に開口部２７を形成したものである。
【００４４】
図７（ｄ）は、可撓性フィルム３ｄの両側縁部の端縁部側を三角形状に内側へ折り返し、端縁部と重なった部分を一部固定し、内側に開口部２８を形成したものである。
【００４５】
図７（ｅ）は、可撓性フィルム３ｅの両側端部を内側へ折り返し、更に両端部を内側へ折り返し、その重ね合わせた両端部側の端縁部と折り返された両側端部とを固定し、内側に開口部２９を形成したものである。
上記係止手段の実施例の内、（ｂ）乃至（ｅ）は可撓性フィルムの両側端部側が弛緩されてしわ状になったり重合部が生じることになるので、該係止手段を枠体の端部に係止する際、該枠体が折り返しや他の手段等により厚みのある被係止部材となった場合でも、その厚さに対応して係止することを可能とするものである。
【符号の説明】
【００４６】
１、１´                                緩衝部材
２、２´、１０、１３、１７、２０        枠体
３、３´、３ａ、３ｂ、３ｃ、３ｄ、３ｅ    可撓性フィルム
４、４´、１４、１９                    開口部
５、５´、２２                          周端部
６、６´、１２、１６、１８              折り曲げ部
７                                      物品収納体
８、２５、２６、２７、２８、２９        開口部
９                                      ポケット
１１、２１                              平板部
１５                                    押圧片
２３、２４                              隅部係止手段
【図１】
0003151705.tif 000003
【図２】
0003151705.tif 000004
【図３】
0003151705.tif 000005
【図４】
0003151705.tif 000006
【図５】
0003151705.tif 000007
【図６】
0003151705.tif 000008
【図７】
0003151705.tif 000009